(57)【特許請求の範囲】
【請求項１】
無線装置間で無線電波の送受信が行われているときに、少なくとも一方の無線装置が他方の無線装置から受信する無線電波に基づいて、前記他方の無線装置が送信する無線電波の送信電力を制御するための電力制御情報を含む無線電波を前記他方の無線装置に送信する無線装置について、各無線装置が無線電波送信を同時に停止するための制御情報を生成する生成部と、
前記制御情報を各無線装置に向けて送信する送信部と、
を含む無線通信制御装置。
【請求項２】
前記制御情報は、前記各無線装置が無線電波送信を停止するタイミングを示すタイミング情報である
請求項１記載の無線通信制御装置。
【請求項３】
前記生成部は、前記無線装置間で無線電波を用いて送受信されるフレームのシーケンス番号を用いて特定されるタイミング情報を生成する
請求項２記載の無線通信制御装置。
【請求項４】
前記生成部は、時刻を用いて特定されるタイミング情報を生成する
請求項２記載の無線通信制御装置。
【請求項５】
前記生成部は、現在のシーケンス番号を管理するシーケンス番号管理部と、シーケンス番号のオフセット値を記憶したオフセット記憶部とを含み、
前記生成部は、前記シーケンス番号管理部から得られる現在のシーケンス番号に前記オフセット記憶部から得られるオフセット値を加えたシーケンス番号を前記タイミング情報として生成する
請求項３記載の無線通信制御装置。
【請求項６】
前記無線装置の一方は、無線端末装置であり、
前記無線装置の他方は、基地局装置であり、
前記無線端末装置が相手方の無線端末装置と双方向の通信を行う場合に、前記無線端末装置と前記基地局装置との間に、前記通信に使用される個別チャネルとして、前記無線端末装置から前記基地局装置への無線電波送信に使用される第１のチャネルと、前記基地局装置から前記無線端末装置への無線電波送信に使用される第２のチャネルとが確保され、
前記送信部は、前記通信の終了要求受信を契機として、前記制御情報を含む前記第１のチャネルの解放要求を前記無線端末装置へ送信するとともに、前記制御情報を含む前記第２のチャネルの解放要求を前記基地局装置へ送信する
請求項１記載の無線通信制御装置。
【請求項７】
相手側無線装置との無線電波の送受信時に、前記相手側無線装置から受信した無線電波に基づいて得られる前記相手側無線装置が送信する送信電力を制御するための電力制御情報を含む無線電波を前記相手側無線装置に送信する、及び／又は、前記相手側無線装置から受信した電力制御情報に基づいて前記相手側無線装置へ送信する送信電力を制御する無線装置であって、
前記相手側無線装置で行われる前記無線装置への無線電波送信停止のタイミングを含む制御情報を受信する受信部と、
前記受信部によって受信された前記タイミングに従って前記相手側無線装置への電波送信を停止する制御部と
を含む無線装置。
【請求項８】
第１の無線装置から第２の無線装置への無線電波送信に使用される第１のチャネルと、前記第２の無線装置から前記第１の無線装置への無線電波送信に使用される第２のチャネルとを用いた無線通信が実行され、且つ前記第１及び第２のチャネルの少なくとも一方についての無線電波の送信電力制御の制御情報が前記第１及び／又は第２のチャネルを用いて送受信される状況下において、前記無線通信の終了を制御する無線通信制御装置であって、
前記第１の無線装置に対し、前記第１の無線装置が無線電波送信を停止するための前記第１のチャネルの解放要求を前記第１の無線装置に送信する手段と、
前記第１の無線装置で生成される、前記第１のチャネルの解放要求に対する応答であって、前記第１の無線装置での無線電波送信の停止タイミングを示すタイミング情報を含む応答を受信する手段と、
前記第２の無線装置が前記タイミング情報に従って無線電波送信を停止するように、前記タイミング情報を含む前記第２のチャネルの解放要求を前記第２の無線装置へ送信する手段と、
を含む無線通信制御装置。
【請求項９】
前記無線電波の送受信を終了させるためのメッセージを受信する受信部とをさらに含み、
前記生成部は、前記メッセージの受信時を基準として各無線装置の電波送信停止タイミングを決定し、該タイミングを含む制御情報を生成する
請求項１記載の無線通信制御装置。
【発明の詳細な説明】
【技術分野】
【０００１】
本発明は、無線通信制御装置および無線装置に関する。
【背景技術】
【０００２】
Ｗ−ＣＤＭＡ方式のような携帯電話サービスシステムでは、端末装置と基地局装置との間の無線通信において、基地局装置から端末装置へ無線電波を送信するチャネル(下り個別チャネルとする)と、端末装置から基地局装置へ無線電波を送信するチャネル(上り個別チャネルとする)とを用いた無線電波の送信電力制御(閉ループ送信電力制御)が行われている。【０００３】
端末装置は、下り個別チャネルを通じて基地局装置から信号(無線電波)を受信すると、この受信信号の品質を示す希望波受信電力対干渉信号電力比（ＳＩＲ；Signal to Interference Power Ratio）を測定する。続いて、端末装置は、ＳＩＲの測定結果とＳＩＲの目標値とを比較し、この比較結果に基づく送信電力制御情報(「ＴＰＣ；Transmit Power Control）ビット」と呼ばれる)を作成する。このとき、測定結果が目標値より低いときは、送信電力を増加する旨のＴＰＣビットが作成され、測定結果が目標値より高い場合には、送信電力を低減する旨のＴＰＣビットが作成される。ＴＰＣビットは、基地局装置へ送信されるデータに含められ、上り個別チャネルを通じて基地局装置に伝達される。【０００４】
基地局装置は、ＴＰＣビットを受信すると、ＴＰＣビットにしたがって、下り個別チャネルの送信電力を増減させる。これによって、ＴＰＣビットによって制御された送信電力による無線電波が下り個別チャネルを通じて基地局装置へ送信される。このような端末装置と基地局装置との間に形成された閉ループを用いて、下り個別チャネルの送信電力が制御される。なお、上り個別チャネルの送信電力制御も、上述したような閉ループ送信電力制御方式で行うことができる。【０００５】
上述した下り個別チャネル及び上り個別チャネルを用いた無線電波送信は、端末装置と相手方の端末装置との通話の終了(終話)を契機として実行される端末装置と基地局装置間の無線通信リソースの解放手順を経て停止される。【０００６】
図１５は、従来の携帯電話サービスにおける終話の手順を示すシーケンスの図である。図１５には、端末装置、基地局装置、基地局制御装置との間の終話の手順が示されている。また、図１５には、端末装置と通信している相手側の端末装置（図示せず）が終話要求を送出した場合のシーケンスが示されている。【０００７】
図１５に示すように、端末装置は、相手端末の終話要求を受けた基地局制御装置からの終話要求に応答した後に基地局制御装置から受信する個別チャネル解放要求に応じて、個別チャネル解放応答の送信、及び上り個別チャネル電波停止処理を実施する。これによって、上り個別チャネルへの無線電波送信が停止され、上り個別チャネルが解放される。【０００８】
一方、基地局装置は、基地局制御装置からの個別チャネル解放要求(無線リソース)の受信を契機として、下り個別チャネル電波停止処理を実施する。これによって、下り個別チャネルへの無線電波送信が停止され、下り個別チャネルが解放される。【０００９】
本発明に係る先行技術文献としては、次に示すものがある。
【特許文献１】特開２００４−１１２０９７号公報
【特許文献２】特開２００４−３２２１１号公報
【非特許文献１】3GPP TS25.331 V6.5.0、２００５年３月、8.1.4章．
【非特許文献２】立川敬二著、「Ｗ−ＣＤＭＡ移動通信方式」、丸善、日本、２００１年６月、p.178-179.
【発明の開示】
【発明が解決しようとする課題】
【００１０】
図１５に示したシーケンスでは、端末装置及び基地局装置は、基地局制御装置からの個別チャネル解放要求に従って、下り個別チャネル及び上り個別チャネルへの無線電波送信を停止する。このとき、端末装置及び基地局装置へ個別チャネル解放要求が到着するタイミングが異なるので、端末装置及び基地局装置が無線電波送信を停止するタイミングが異なることがある。図１５に示す例では、端末装置が送信を停止した時刻Ａ0から基地局装置が送信を停止した時刻Ｂ0までの間に、遅延時間Ｔdelayが発生している。【００１１】
この遅延時間Ｔdelayでは、基地局装置は下り個別チャネルの送信電力制御を行わなければならないにも拘わらず、端末装置からの送信電力制御情報(ＴＰＣビット)を受信できない状態となる。このため、基地局装置において、送信電力制御の誤動作が生じ、下り個別チャネルの送信電力が予測できないような状態で変動する可能性があった。例えば、基地局装置において、ＴＰＣビットを受信できないが故にＴＰＣビットの誤認識が生じ、下り個別チャネルの送信電力を増加し続けることが考えられる。この場合、例えば、図１６に示すように、遅延時間Ｔdelay(Ａ0からＢ0間)において、下り個別チャネルの送信電力が上限値まで上がり続け(ＰIncrease)、下り個別チャネル解放処理によって電波送信が停止されるときまで、上限値の送信電力が維持される場合が考えられる。図１６において、Ｔdelayは、ＴＰＣ誤認識期間と捉えることができる。【００１２】
このような電力制御が行われると、電力浪費のみならず、下り個別チャネルの電波が他のチャネルに干渉してしまうおそれがあった。この問題は、基地局装置が端末よりも先に電波送信を停止した場合に、端末装置で起こり得る。【００１３】
また、基地局装置が、新規呼の受付判断のために、下り方向への割当可能な総電力から割当済み電力を差し引いた残りの電力を参照するシステムを搭載している場合には、割当済み電力の無駄な増加(電力浪費)によって、新規呼の受付が拒絶されるおそれがあった。【００１４】
本発明は、上述した問題に鑑みてなされたものである。本発明の目的は、相手側からの制御情報に従って相手側へ送信する無線電波の送信電力制御において、制御情報が到達しないことで、送信電力制御の誤動作が生じることを抑える技術を提供することである。
【課題を解決するための手段】
【００１５】
上記課題を解決するために、本発明は以下の構成を採用した。
（１）すなわち、本願発明による無線通信制御装置（基地局制御装置３に対応）は、無線装置間（一方は基地局装置２に、他方は端末装置１に対応）で双方向の無線電波の送受信が行われているときに、少なくとも一方の無線装置が他方の無線装置から受信する無線電波に基づいて、前記他方の無線装置が送信する無線電波の送信電力を制御するための電力制御情報を含む無線電波を前記他方の無線装置に送信する二つの無線装置について、各無線装置が無線電波送信を同時に停止するための制御情報を生成する生成部（呼接続処理部６１に対応）と、前記制御情報を各無線装置に向けて送信する送信部（基地局ＩＦ１８に対応）とを含む。【００１６】
この構成によれば、双方向で無線電波の送受信が行われている無線装置がある。この無線装置のうちの少なくとも一方の無線装置が他方の無線装置から受信する無線電波に基づいて、他方の無線装置が送信する無線電波の送信電力を制御するための電力制御情報を含む無線電波を他方の無線装置に送信する。この無線通信制御装置は、このような無線装置の各々が他の無線装置に対する無線電波送信を同時に停止するための制御情報を生成し、その制御情報を無線装置の各々に送信することができる。
（２）また、本願発明による無線通信制御装置に係る前記制御情報は、前記各無線装置が無線電波送信を停止するタイミングを示すタイミング情報でもよい。【００１７】
この構成によれば、この制御情報は、無線装置が無線送信を停止するタイミングを示すタイミング情報でもよい。この無線通信制御装置によるタイミングの指定により、無線装置の各々はそのタイミングによって互いの無線装置に対する電波送信を停止できる。
（３）また、本願発明による無線通信制御装置に係る前記生成部は、前記無線装置間で無線電波を用いて送受信されるフレームのシーケンス番号を用いて特定されるタイミング情報を生成してもよい。【００１８】
この構成によれば、この生成部は、無線装置間で無線電波を用いて送受信されるフレームのシーケンス番号を用いてタイミング情報を生成してもよい。また、このシーケンス番号として、ＣＦＮ（Connection Frame Number）が使用されてもよい。
（４）また、本願発明による無線通信制御装置は、前記無線電波の送受信を終了させるためのメッセージを受信する受信部とをさらに含み、前記生成部が、前記メッセージの受信時を基準として各無線装置の電波送信停止タイミングを決定し、このタイミングを含む制御情報を生成してもよい。また、前記生成部は、前記メッセージの送信時を基準として各無線装置の電波送信停止タイミングを決定し、このタイミングを含む制御情報を生成してもよい。【００１９】
この構成によれば、この無線通信制御装置は、無線電波の送受信を終了させるためのメッセージを受信する受信部とをさらに含んでもよい。続いて、この無線通信制御装置の生成部は、終了させるためのメッセージの受信時を基準として各無線装置の電波送信停止タイミングを決定し、このタイミングを含む制御情報を生成してもよい。また、この生成部は、終了させるためのメッセージの送信時を基準として各無線装置の電波送信停止タイミングを決定し、このタイミングを含む制御情報を生成してもよい。この終了させるためのメッセージは、終話要求でも、終話応答であってもよい。
（５）また、本願発明による無線装置は、相手側無線装置との間で行われる双方向の無線電波の送受信時（一方は基地局装置２に、他方は端末装置１に対応する双方向の無線電波の送受信時に対応）に、前記相手側無線装置から受信した無線電波に基づいて得られる前記相手側無線装置が送信する無線電波の送信電力を制御するための電力制御情報を含む無線電波を前記相手側無線装置に送信する、及び／又は、前記相手側無線装置から受信した無線電波中に含まれる電力制御情報に基づいて前記相手側無線装置へ送信する無線電波の送信電力を制御する無線装置であって、前記相手側無線装置で行われる前記無線装置への無線電波送信停止のタイミングを含む制御情報を受信する受信部（基地局装置２の回線ＩＦ３５、または、端末装置１の無線部４６に対応）と、前記受信部によって受信された前記制御情報中のタイミングに従って前記相手側無線装置への電波送信を停止する制御部（基地局装置２の無線リソース処理部３９、または、端末装置１のベースバンド信号処理部４５）とを含む。【００２０】
この構成によれば、この無線装置は、相手側無線装置との間で行われる双方向の無線電波の送受信時に、相手側無線装置から受信した無線電波に基づいて得られる相手側無線装置が送信する無線電波の送信電力を制御するための電力制御情報を含む無線電波を相手側無線装置に送信する。このような無線装置、及び／または、相手側無線装置から受信した無線電波中に含まれる電力制御情報に基づいて相手側無線装置へ送信する無線電波の送信電力を制御する無線装置は、相手側無線装置で行われる無線装置への無線電波送信停止のタイミングを含む制御情報を受信し、受信された制御情報中のタイミングに従って相手側無線装置への電波停止をすることができる。【００２１】
本発明は、以上のような無線装置が実行する無線方法であってもよい。また、本発明は、以上のような無線通信制御装置が実行する無線通信制御方法であってもよい。
【発明の効果】
【００２２】
相手側からの制御情報に従って相手側へ送信する無線電波の送信電力制御において、制御情報が到達しないことで、送信電力制御の誤動作が生じることを抑える技術を提供できる。
【図面の簡単な説明】
【００２３】
【図１】本発明の実施形態の通信システムの構成図である。
【図２】閉ループの電力制御における基本ブロック図である。
【図３】本発明に係る終話のシーケンスを示す図である。
【図４】本発明に係る基地局制御装置のシステムを示す構成図である。
【図５】本発明に係る基地局装置のシステムを示す構成図である。
【図６】本発明に係る端末装置のシステムを示す構成図である。
【図７】本発明に係る基地局制御装置における処理を示す第１のフローチャートである。
【図８】本発明に係る基地局制御装置における処理を示す第２のフローチャートである。
【図９】本発明に係る基地局制御装置における処理を示す第３のフローチャートである。
【図１０】本発明に係る基地局制御装置における処理を示す第４のフローチャートである。
【図１１】本発明に係る基地局装置における処理を示すフローチャートである。
【図１２】本発明に係る端末装置における処理を示すフローチャートである。
【図１３】本発明に係る基地局装置が終話の際に無線リソースの個別チャネルに消費する電力を示す図である。
【図１４】本発明の変形例に係る終話のシーケンスを示す図である。
【図１５】従来技術における終話のシーケンスを示す図である。
【図１６】従来技術に係る基地局装置が終話の際に無線リソースの個別チャネルに消費する電力を示す図である。
【符号の説明】
【００２４】
ＵＣ１  上り個別チャネル（無線リソース）
ＤＣ１  下り個別チャネル（無線リソース）
１，１−１〜１−５  端末装置
２  基地局装置
３  基地局制御装置
４  受信部
５  ＳＩＲ測定部
６  ＳＩＲ目標値設定部
７  ＳＩＲ判定部
８  ＴＰＣビット生成部
９  ＴＰＣビット合成部
１０  送信部
１１  受信部
１２  ＴＰＣビット復号部
１３  ＴＰＣビット判定部
１４  電力制御部
１５  送信部
１６  装置制御部
１７  架内スイッチ
１８  基地局ＩＦ
１９  移動交換機ＩＦ
２０  端末装置対向信号Ｌ２終端部
２１  基地局装置対向信号Ｌ２終端部
２２  移動交換機装置対向信号Ｌ２終端部
２３  基準タイミング生成部
２４  ダイバーシチハンドオーバ機能部
２５  無線リソース管理部
２６  網側リソース管理部
２７  装置内リソース管理部
２８  タイマ
２９  タイミング作成部
３０  オフセット記憶部
３１  移動管理部
３２  無線品質管理部
３３  無線部
３４  ベースバンド信号処理部
３５  回線ＩＦ
３６  基準タイミング生成部
３７  基地局制御装置対向信号Ｌ２終端部
３８  呼処理制御部
３９  無線リソース処理部
４０  網側リソース処理部
４１  ＣＦＮカウンタ
４２  装置内リソース管理部
４３  タイマ
４４  ＣＯＤＥＣ部
４５  ベースバンド信号処理部
４６  無線部
４７  制御信号終端部
４８  基準タイミング生成部
４９  装置制御部
５０  マイク
５１  スピーカ
５２  対基地局装置部
５３  対基地局制御装置部
５４  ＣＦＮカウンタ
５５  呼接続制御部
５６  タイマ
５７  移動交換機
５８  公衆網
５９  通信装置
６０  ＣＦＮカウンタ
６１  呼接続処理部
【発明を実施するための最良の形態】
【００２５】
以下、図面を参照して、本発明の実施形態を説明する。以下の実施形態の構成は例示であり、本発明は実施形態の構成に限定されない。【００２６】
《システム構成》
図１は、本発明の実施形態における通信システムの構成図である。図１において、基地局装置２は、端末装置１（１−１）〜１（１−５）と無線伝送路を通じて通信できる。基地局装置２がこれらの端末装置と通信可能な範囲はセルと呼ばれ、図１ではその範囲が点線で示されている。加えて、基地局装置２は、有線伝送路を通じて基地局制御装置３と通信できる。基地局制御装置３は、有線伝送路を通じて、移動交換機５７と通信できる。移動交換機５７は、公衆網５８を通じて、通信装置５９と通信できる。【００２７】
端末装置１と通信装置５９とが通信する場合、この通信システムは、端末装置１と通信装置５９との間に、個別チャネルと呼ばれる通信リソースを確保する。以下に、端末装置１と通信装置５９とが通信する際に、端末装置１と通信装置５９との間に確立される個別チャネルについて説明する。【００２８】
端末装置１と通信装置５９とが通信する際、端末装置１と移動交換機５７との間および移動交換機５７と通信装置５９との間の通信は、呼制御によって確立される。以上のような呼制御により、端末装置１は、基地局装置２との間に、無線リソースの上り個別チャネルと無線リソースの下り個別チャネルとを確立する。無線リソースの上り個別チャネルは、端末装置１から基地局装置２へ電波を送出する際に使用される。無線リソースの下り個別チャネルは、基地局装置２から端末装置１へ電波を送出する際に使用される。また、無線リソースの上り個別チャネルと無線リソースの下り個別チャネルは、無線伝送路とも呼ばれる。基地局装置２は、基地局制御装置３との間に、網側リソースの個別チャネルを確立する。網側リソースの個別チャネルは、基地局装置２と基地局制御装置３との間のデータ通信に使用される。基地局制御装置３は、移動交換機５７との間に、網側リソースの個別チャネルを確立する。この網側リソースの個別チャネルは、基地局制御装置３と移動交換機５７との間のデータ通信に使用される。続いて、移動交換機５７は、公衆網５８を通じて、通信装置５９と通信する。端末装置１と通信装置５９とは、以上で述べた個別チャネルを確立させてから通信する。【００２９】
一方で、端末装置１と通信装置５９とが通話を終了する際（終話する際）、端末装置１、基地局装置２、基地局制御装置３および移動交換機５７が新たな呼のための通信リソースを確保するために、この通信システムは、以上で確立した個別チャネルを呼制御によって解放する。【００３０】
また、この通信システムにおいて、端末装置１と基地局装置２との間の無線通信において、無線リソースの下り個別チャネルＤＣ１と、無線リソースの上り個別チャネルＵＣ１とを用いた無線電波の送信電力制御(閉ループ送信電力制御)が行われる。【００３１】
本実施形態では、主に、端末装置１と基地局装置２と基地局制御装置３との間で実行される処理に関して説明する。まず、この通信システムにおける送信電力制御について説明する。【００３２】
《送信電力制御》
図２は、本通信システムにおいて、端末装置１と基地局装置２との間で、閉ループ送信電力制御を実行するシステム構成例を示すブロック図である。図２には、端末装置から基地局へ上り個別チャネルＵＣ１で送信される電波の送信電力制御を行うための構成が示されている。【００３３】
図２において、基地局装置２は、受信部４、ＳＩＲ測定部５、ＳＩＲ目標値設定部６、ＳＩＲ判定部７、ＴＰＣビット生成部８、ＴＰＣビット合成部９および送信部１０を備えている。これに対し、端末装置１は、受信部１１、ＴＰＣビット復号部１２、ＴＰＣビット判定部１３、電力制御部１４および送信部１５を備えている。【００３４】
基地局装置２の受信部４は、端末装置１の送信部１５から信号(電波)を受信する。送信部１５から受信された信号は、上り通信データとして、基地局制御装置側へ送信されるとともに、ＳＩＲ測定部５に送られる。ＳＩＲ測定部５は、受信部４から受信された信号のＳＩＲを測定する。ＳＩＲ測定部５は、ＳＩＲの測定結果をＳＩＲ判定部７に送る。【００３５】
ＳＩＲ目標値設定部６には、予めＳＩＲの目標値が納められている。また、ＳＩＲ目標値設定部６は、基地局制御装置３からＳＩＲ目標値を受信して使用してもよい。本通信システムでは、受信信号のＳＩＲの値がこの目標値に近づくように端末装置１の電力制御が行われる。ＳＩＲ目標値設定部６は、この目標値をＳＩＲ判定部７に与える。【００３６】
ＳＩＲ判定部７は、ＳＩＲ目標値設定部６からのＳＩＲの目標値と、ＳＩＲ測定部５からのＳＩＲの測定結果とを比較する。ＳＩＲ判定部７は、測定結果が目標値よりも大きいとき、送信部１５から送信される電波の送信電力を減らすと判定する。これに対し、ＳＩＲ判定部７は、測定結果が目標値よりも小さいとき、送信電力を増やすと判定する。判定結果は、ＴＰＣビット生成部８に送信される。【００３７】
ＴＰＣビット生成部８は、ＳＩＲ判定部７からの判定結果を基にしてＴＰＣビットを生成する。ＳＩＲ判定部７が送信電力を減らすと判定した場合、ＴＰＣビット生成部８は、送信電力ダウンを指示するＴＰＣビットを生成する。一方、ＳＩＲ判定部７が送信電力を増やすと判定した場合、ＴＰＣビット生成部８は、送信電力アップを指示するＴＰＣビットを生成する。ＴＰＣビット生成部８は、ＴＰＣビットをＴＰＣビット合成部９に送る。【００３８】
ＴＰＣビット合成部９は、ＴＰＣビット生成部８からのＴＰＣビットと下り通信データとを合成する。ＴＰＣビット合成部９は、合成されたデータを送信部１０に送る。【００３９】
送信部１０は、ＴＰＣビット合成部９から受信したデータを含む無線信号(電波)を、下り個別チャネルＤＣ１を介して、端末装置１の受信部１１に送る。【００４０】
端末装置１の受信部１１は、送信部１０から送出された信号を受信する。受信部１１は、送信部１０から受信した信号をＴＰＣビット復号部１２に送る。【００４１】
ＴＰＣビット復号部１２は、受信部１１で受信された信号からＴＰＣビットと下り通信データとを分離する。ＴＰＣ復号部１２は、分離されたＴＰＣビットをＴＰＣビット判定部１３に送る。【００４２】
ＴＰＣビット判定部１３は、ＴＰＣビット復号部１２から受信したＴＰＣビットの内容に基づき、送信電力制御の内容を判定する。ＴＰＣビット判定部１３は、ＴＰＣビットがダウン指示であれば、送信電力減少と判定し、ＴＰＣビットがアップ指示であれば、送信電力増加と判定する。ＴＰＣビット判定部１３は、その判定結果を電力制御部１４に入力する。電力制御部１４は、ＴＰＣビット判定部１３の判定結果に基づいて送出電波の電力の増減に関する指示を送信部１５に与える。【００４３】
送信部１５は、上り通信データを上り個別チャネルを通じて受信部４へ送信する。また、送信部１５は、電力制御部１４からの指示に基づいて、端末装置１５から送出する電波の電力を増減する。送信部１５は、増加指示を受け取ると、送出電波の電力を所定の大きさだけ増加させる。一方、送信部１５は、減少指示を受け取ると送出電波の電力を所定の大きさだけ減らす。【００４４】
以上述べたように、図２に示す閉ループ送信電力制御では、端末装置１が上り個別チャネルＵＣ１で送信した信号を基地局装置２が受信し、基地局装置２がその受信信号の通信品質をＳＩＲを使用して測定し、測定結果に基づく端末装置１の送信電力指示を下り個別チャネルＤＣ１を通じて端末装置１に与える。端末装置１は、基地局装置２からの指示に基づいて送出電波の電力を増減する。これによって、上り個別チャネルＵＣ１に送出される電波の電力制御が実行される。【００４５】
図２には示していないが、端末装置１は、図２に示された基地局装置２が有する構成を有し、基地局装置２は、図２に示された端末装置１が有する構成を有している。これらの構成によって、下り個別チャネルＤＣ１の閉ループ送信電力制御が実行される。このようにして、端末装置１及び基地局装置２は、上り個別チャネルと下り個別チャネルの両方の個別チャネルにおける送出電波の電力を制御することができる。【００４６】
次に、本通信システムにおける終話シーケンスについて説明する。【００４７】
《本通信システムにおける終話シーケンス》
図３は、図１に示したような通信システムにおいて、通信装置５９から送信された通信の切断信号が公衆網５８を通じて移動交換機５７で受信され、移動交換機５７で受信された切断信号が終話要求として基地局制御装置３に送信され、その終話要求を基地局制御装置３が受信した場合の終話のシーケンスである。【００４８】
まず、基地局制御装置３は、移動交換機５７から送られた終話要求を端末装置１に送信する（Ｓ１）。【００４９】
端末装置１は、基地局装置２を通じて、基地局制御装置３から終話要求を受信すると、基地局制御装置３に終話応答を送信する（Ｓ２）。【００５０】
基地局制御装置３は、基地局装置２を通じて、端末装置１から終話応答を受信すると、端末装置１に無線リソースの上り個別チャネル解放要求（個別チャネル解放要求）を送信する（Ｓ３）。この個別チャネル解放要求には、端末装置１が上り個別チャネルを使用する電波の送出を停止するタイミングの情報が含まれている。【００５１】
端末装置１は、基地局装置２を通じて、基地局制御装置３から個別チャネル解放要求を受信すると、無線リソースの上り個別チャネル解放応答（個別チャネル解放応答）を基地局制御装置３に送信する（Ｓ４）。【００５２】
端末装置１は、個別チャネル解放要求を受信すると、その解放要求に含まれる電波の停止タイミングの情報に基づいて、無線リソースの上り個別チャネル電波停止処理を実行する。すなわち、端末装置１は、個別チャネル解放応答に含まれたタイミングの情報にしたがったタイミングＡ1で、上り個別チャネルへの電波送信を停止する（Ｓ５）。端末装置１は、電波の停止後、上り個別チャネルを解放する。【００５３】
一方、基地局制御装置３は、基地局装置２を通じて、端末装置１からの個別チャネル解放応答を受信すると、無線リソースの下り個別チャネル解放要求（個別チャネル解放要求）を基地局装置２に送信する（Ｓ６）。この個別チャネル解放要求には、基地局装置２が下り個別チャネルを使用する電波の送出を停止するタイミングの情報が含まれている。【００５４】
基地局装置２は、個別チャネル解放要求を受信すると、その解放要求に含まれる電波の停止タイミングの情報に基づいて、無線リソースの下り個別チャネル電波停止処理を実行する。すなわち、基地局装置２は、解放応答に含まれたタイミングの情報に従ったタイミングＢ1（タイミングＡ1と同じタイミング）で下り個別チャネルへの電波送信を停止する（Ｓ７）。基地局装置２は、下り個別チャネルを通じて送出する電波の停止後、下り個別チャネルを解放する。このようにして、端末装置１と基地局装置２とは、同一のタイミングで電波送信を停止する。【００５５】
基地局装置２は、下り個別チャネルの解放後、基地局制御装置３に下り個別チャネル解放応答を送信する（Ｓ８）。【００５６】
基地局制御装置３は、基地局装置２から下り個別チャネル解放応答を受信すると、基地局装置２に網側リソースの個別チャネル解放要求を送信する（Ｓ９）。【００５７】
基地局装置２は、基地局制御装置３からの個別チャネル解放要求を受信すると、個別チャネル網側回線解放処理を実施する（Ｓ１０）。基地局装置２は、個別チャネル網側回線解放処理を実施することにより、網側リソースに対する個別チャネルを解放する。【００５８】
基地局装置２は、網側リソースに対する個別チャネルの解放後、網側リソースの個別チャネル解放応答を送信する（Ｓ１１）。基地局制御装置３は、基地局装置２から、網側リソースの個別チャネル解放応答を受信する。【００５９】
以上述べたように、本通信システムでは、端末装置１が上り個別チャネル解放要求にしたがうタイミング（図３では時刻Ａ1）で電波送出を停止し、基地局装置２が下り個別チャネル解放要求にしたがうタイミング（図３では時刻Ｂ1）で電波送出を停止する。このため、基地局制御装置３は、上り個別チャネル解放要求と下り個別チャネル解放要求とに送出する電波停止のタイミングが同時になるような（すなわち、Ａ1＝Ｂ1となるような）タイミングの情報を含ませる。【００６０】
なお、端末装置１が終話要求を生成して送信する場合では、端末装置１が終話要求を送信し、終話応答を受信することが図３に示した終話シーケンスと逆になる（すなわち、ステップＳ１とステップＳ２の矢印が逆になる）のみで、他の処理は上記の処理と同様に実行される。【００６１】
《コネクション・フレーム・ナンバー》
また、本通信システムは、端末装置１、基地局装置２および基地局制御装置３の間で、シーケンス番号として、コネクション・フレーム・ナンバー（ＣＦＮ；Connection Frame Number）を使用する。ＣＦＮには０〜２５５までの番号が付されている。ＣＦＮは、端末装置１、基地局装置２、および基地局制御装置３の中で単位時間当たりに１ずつ増加し、２５５まで数字が増加すると、次は０となる。ＣＦＮは、各々の呼に対して独立に存在し、呼の割り当ての際に、各々の呼に対して各々にＣＦＮが割り当てられる。また、ＣＦＮは、端末装置１、基地局装置２および基地局制御装置３の中で同期している。すなわち、端末装置１におけるＣＦＮと、基地局装置２におけるＣＦＮと、基地局制御装置３におけるＣＦＮとは、同じ値を持ち、同じタイミングで増加する。したがって、基地局制御装置３は、特定のＣＦＮを基地局装置２や端末装置１に通知することで、基地局２や端末装置１に特定のタイミングを通知できる。【００６２】
《装置構成》
次に、図４−図６を用いて、図３に示した終話シーケンスを実現するための基地局制御装置３、基地局装置２および端末装置１の構成をそれぞれ説明する。以下の構成例では、各装置において、通話の終了時(終話時)に使用される構成を主として説明する。【００６３】
〈基地局制御装置の構成〉
図４は、本発明の実施形態に係る基地局制御装置３のシステム構成例を説明するための図である。図４において、基地局制御装置３は、装置制御部１６と、架内スイッチ１７と、送受信部としての基地局インターフェース（ＩＦ）１８、送受信部としての移動交換機インターフェース（ＩＦ）１９と、端末装置対向信号Ｌ２終端部２０と、基地局装置対向信号Ｌ２終端部２１と、移動交換機対向信号Ｌ２終端部２２と、基準タイミング生成部２３と、ダイバーシチハンドオーバ機能部２４とを備えている。【００６４】
装置制御部１６は、呼接続処理部６１と、移動管理部３１と、無線品質管理部３２とを備えている。更に、呼接続処理部６１は、終話シーケンスを実現するための機能ブロックとして、無線リソース管理部２５と、網側リソース管理部２６と、装置内リソース管理部２７と、タイマ２８と、タイミング作成部２９と、オフセット記憶部３０とを備えている。基準タイミング生成部２３は、ＣＦＮカウンタ６０を備えている。【００６５】
装置制御部１６は、端末装置１や基地局装置２に対する制御情報を生成する。また、装置制御部１６は、端末装置１や基地局装置２から基地局制御装置３に対する制御情報を受信したときに、その制御情報に基づく制御を実行する。装置制御部１６は、基準タイミング生成部２３から、基地局制御装置３と、基地局装置２と、端末装置１との間で同期を取るためのタイミングの情報の通知を受ける。装置制御部１６は、基準タイミング生成部２３から通知されるタイミングの情報を基地局制御装置３と、基地局装置２と、端末装置１との間の同期のために使用する。装置制御部１６は、移動交換機装置対向信号Ｌ２終端部２２を通じて、移動交換機５７に対して情報を送信したり、移動交換機５７から情報を受信したりする。装置制御部１６は、基地局装置対向信号Ｌ２終端部２１を通じて、基地局装置２に対して情報を送信したり、基地局装置２から情報を受信したりする。装置制御部１６は、端末装置対向信号Ｌ２終端部２０を通じて、端末装置１に対して情報を送信したり、端末装置１から情報を受信したりする。【００６６】
架内スイッチ１７は、基地局ＩＦ１８と、移動交換機ＩＦ１９と、端末装置対向信号Ｌ２終端部２０と、基地局装置対向信号Ｌ２終端部２１と、移動交換機装置対向信号Ｌ２終端部２２と、ダイバーシチハンドオーバ機能部２４との間の通信のために使用される。【００６７】
基地局ＩＦ１８は、基地局装置２から信号を受信する。基地局ＩＦ１８は、基地局装置２に信号を送信する。また、基地局ＩＦ１８は、受信した信号を基地局制御装置３での処理に適するデータ形式に変換したり、送信するための信号を基地局制御装置３と基地局装置２との間の有線伝送路を使用する通信に適したデータ形式に変換する。【００６８】
移動交換機ＩＦ１９は、移動交換機５７から信号を受信する。移動交換機ＩＦ１９は、移動交換機５７に信号を送信する。また、移動交換機ＩＦ１９は、受信した信号を基地局制御装置３での処理に適するデータ形式に変換したり、送信するための信号を基地局制御装置３と移動交換機５７との間の有線伝送路を使用する通信に適したデータ形式に変換する。【００６９】
端末装置対向信号Ｌ２終端部２０は、基地局制御装置３内での処理を容易にするために、端末装置１からの信号からデータ部分を取り出す。また、端末装置対向信号Ｌ２終端部２０は、端末装置１に送信するためのデータを、端末装置１に対する通信に適するデータ形式に変換する。【００７０】
基地局装置対向信号Ｌ２終端部２１は、基地局制御装置３内での処理を容易にするために、基地局装置２からの信号からデータ部分を取り出す。また、基地局装置対向信号Ｌ２終端部２１は、基地局装置２に送信するためのデータを、基地局装置２に対する通信に適するデータ形式に変換する。【００７１】
移動交換機対向信号Ｌ２終端部２２は、基地局制御装置３内での処理を容易にするために、移動交換機５７からの信号からデータ部分を取り出す。また、移動交換機対向信号Ｌ２終端部２２は、移動交換機５７に送信するためのデータを、移動交換機５７に対する通信に適するデータ形式に変換する。【００７２】
基準タイミング生成部２３は、基地局制御装置３と、基地局装置２と、端末装置１とで同期を取るためのタイミングの情報を生成する。基準タイミング生成部２３は、生成したタイミングの情報を、装置制御部１６が備えるタイミング作成部２９と、ダイバーシチハンドオーバ機能部２４とに通知する。【００７３】
ダイバーシチハンドオーバ機能部２４は、例えば、端末装置１があるセルから他のセルに移動する場合の端末装置１のハンドオーバを実行する。ダイバーシチハンドオーバ機能部２４は、端末装置１のハンドオーバの際、基準タイミング生成部２３からのタイミングの情報に基づいて基地局制御装置３側でのハンドオーバの制御を実行する。【００７４】
移動管理部３１は、基地局制御装置３に接続する基地局装置のうちのどの基地局制御装置に端末装置１が接続しているか等に関する、端末装置の接続状況に関する情報を管理する。無線品質管理部３２は、端末装置１の通信品質を管理する。無線品質管理部３２は、例えば、ＳＩＲ目標値設定部６（図２）に設定されるＳＩＲ目標値を設定する。【００７５】
タイマ２８は、時刻を計時する。この時刻は、基地局制御装置３と基地局装置２と端末装置１とで同期を取れるものであれば、どのような時刻であってもよい。【００７６】
オフセット記憶部３０は、所定のＣＦＮのオフセット値や所定の時間幅を記憶している。オフセット記憶部３０は、例えば、所定のＣＦＮのオフセット値として５を、時間幅として60msを記憶している。また、オフセット記憶部３０は、上りチャネル解放処理用のオフセット値と、下りチャネル解放処理用のオフセット値とで、個別の値を記憶しておいてもよい。【００７７】
装置内リソース管理部２７は、無線リソース管理部２５と、網側リソース管理部２６と、タイマ２８と、タイミング作成部２９との間の情報のやりとりを管理する。【００７８】
ＣＦＮカウンタ６０は、呼ごとに、基地局制御装置３と、基地局装置２と、端末装置１とで同一の値のＣＦＮを持つ。ＣＦＮカウンタ６０は、所定時間ごとに、ＣＦＮの値を１進める。ＣＦＮカウンタ６０によって生成されるＣＦＮの値は、呼ごとに、基地局制御装置３と、基地局装置２と、端末装置１とで同期を取るためのタイミング情報として使用される。【００７９】
〈基地局装置の構成〉
図５は、本発明の実施形態に係る基地局装置２のシステム構成例を説明するための図である。図５において、基地局装置２は、無線部３３と、ベースバンド信号処理部３４と、回線ＩＦ３５と、基準タイミング生成部３６と、基地局制御装置対向信号Ｌ２終端部３７と、呼処理制御部３８とを備えている。【００８０】
ベースバンド信号処理部３４は、無線リソース処理部３９および網側リソース処理部４０を備えている。呼処理制御部３８は、装置内リソース管理部４２およびタイマ４３を備えている。基準タイミング生成部３６は、ＣＦＮカウンタ４１を備えている。【００８１】
呼処理制御部３８は、端末装置１や基地局制御装置３に対する制御情報を生成する。また、呼処理制御部３８は、端末装置１や基地局制御装置３から基地局装置２に対する制御情報を受信したときに、その制御情報に基づく制御を実行する。【００８２】
回線ＩＦ３５は、基地局制御装置３から信号を受信すると、受信した信号が制御信号であれば基地局制御装置対向信号Ｌ２終端部３７に送り、受信した信号が音声またはデータであればベースバンド信号処理部３４に送る。また、回線ＩＦ３５は、ベースバンド信号処理部３４または基地局制御装置対向信号Ｌ２終端部３７から音声、データまたは制御信号を受けると、基地局装置２と基地局制御装置３との間の有線伝送路に適したデータ形式に変換し、基地局制御装置３に送信する。【００８３】
無線部３３は、ベースバンド信号処理部３４から端末装置１に送信するための信号を受けると、無線信号に変換し、端末装置１に送信する。また、無線部３３は、端末装置１から無線信号を受信すると、受信した無線信号を基地局装置２内での処理に適したデータ形式に変換し、ベースバンド信号処理部３４に送る。【００８４】
基地局制御装置対向信号Ｌ２終端部３７は、回線ＩＦ３５から制御信号を受けると、制御信号からデータを取り出し、呼処理制御部３８が備える装置内リソース管理部４２に送る。また、基地局制御装置対向信号Ｌ２終端部３７は、装置内リソース管理部４２からデータを受けると、制御信号に変換し、回線ＩＦ３５に送る。【００８５】
基準タイミング生成部３６は、基地局制御装置３と、基地局装置２と、端末装置１とで同期を取るためのタイミングの情報を生成する。基準タイミング生成部３６は、生成したタイミングの情報をベースバンド信号処理部３４に通知する。【００８６】
タイマ４３は、時刻を備えている。この時刻は、基地局制御装置３と基地局装置２と端末装置１とで同期を取れるものであれば、どのような時刻であってもよい。タイマ４３は、装置内リソース管理部４２からの指令によって所定時間を計時する。【００８７】
ＣＦＮカウンタ４１は、呼ごとに、基地局制御装置３と、基地局装置２と、端末装置１とで同一の値のＣＦＮを持つ。ＣＦＮカウンタ４１は、所定時間ごとに、ＣＦＮの値を１進める。ＣＦＮカウンタ４１によって生成されるＣＦＮの値は、呼ごとに、基地局制御装置３と、基地局装置２と、端末装置１とで同期を取るためのタイミング情報として使用される。【００８８】
〈端末装置の構成〉
図６は、本発明の実施形態に係る端末装置１のシステム構成例を説明するための図である。図６において、端末装置１は、ＣＯＤＥＣ部４４と、ベースバンド信号処理部４５と、無線部４６と、制御信号終端部４７と、基準タイミング生成部４８と、装置制御部４９とを備えている。【００８９】
制御信号終端部４７は、対基地局装置部５２および対基地局制御装置部５３を備えている。基準タイミング生成部４８は、ＣＦＮカウンタ５４を備えている。装置制御部４９は、呼接続制御部５５およびタイマ５６を備えている。また、端末装置１には、マイク５０およびスピーカ５１が接続されている。【００９０】
ＣＯＤＥＣ部４４は、マイク５０から音声を受信する。ＣＯＤＥＣ部４４は、受信した音声が圧縮符号化された音声データを生成し、ベースバンド信号処理部４５に送る。ＣＯＤＥＣ部４４は、ベースバンド信号処理部４５から音声データを受信すると、復号（再生）処理を行って、スピーカから音声を出力するための音声信号に変換し、スピーカ５１に送信する。【００９１】
装置制御部４９は、基地局装置２や基地局制御装置３に対する制御情報を生成する。また、装置制御部４９は、基地局装置２や基地局制御装置３から端末装置１に対する制御情報を受信したときに、その制御情報に基づく制御を実行する。【００９２】
無線部４６は、ベースバンド信号処理部４５から基地局装置２に送信するための信号を受けると、無線信号に変換し、基地局装置２に送信する。また、無線部４６は、基地局装置２から無線信号を受信すると、受信した無線信号を端末装置１内での処理に適したデータ形式に変換し、ベースバンド信号処理部４５に送る。【００９３】
対基地局装置部５２は、基地局装置２からの制御信号をベースバンド信号処理部４５から受けると、その制御信号を呼接続制御部５５に対する指令の形式に変換し、呼接続制御部５５に通知する。また、対基地局装置部５２は、呼接続制御部５５から基地局装置２に対する指令を受けると、基地局装置２へ送信するための制御信号に変換し、ベースバンド信号処理部４５に通知する。【００９４】
対基地局制御装置部５３は、基地局制御装置３からの制御信号をベースバンド信号処理部４５から受けると、その制御信号を呼接続制御部５５に対する指令の形式に変換し、呼接続制御部５５に通知する。また、対基地局制御装置部５３は、呼接続制御部５５から基地局制御装置３に対する指令を受けると、基地局制御装置３へ送信するための制御信号に変換し、ベースバンド信号処理部４５に通知する。【００９５】
タイマ５６は、時刻を備えている。この時刻は、基地局制御装置３と基地局装置２と端末装置１とで同期を取れるものであれば、どのような時刻であってもよい。タイマ５６は、呼接続制御部５５からの指令によって所定時間を計時する。【００９６】
ＣＦＮカウンタ５４は、呼ごとに、基地局制御装置３と、基地局装置２と、端末装置１とで同一の値のＣＦＮを持つ。ＣＦＮカウンタ５４は、所定時間ごとに、ＣＦＮの値を１進める。ＣＦＮカウンタ５４によって生成されるＣＦＮの値は、呼ごとに、基地局制御装置３と、基地局装置２と、端末装置１とで同期を取るためのタイミング情報として使用される。【００９７】
マイク５０は、音を受けると、信号に変換し、ＣＯＤＥＣ部４４に送信する。スピーカ５１は、ＣＯＤＥＣ部４４から信号を受信すると、受信した信号に応じた音を出力する。【００９８】
《基地局制御装置の動作例》
以下、本発明に係る基地局制御装置３の動作例を図７−図１０に基づいて説明する。動作例において、図４を適宜使用する。【００９９】
＜タイミング作成部における処理例＞
図７は、本発明に係る基地局制御装置３のタイミング作成部２９における処理例を示すフローチャートである。図７に示すフローチャートを用いて、端末装置１が送出する電波を停止するタイミングと、基地局装置２が送出する電波を停止するタイミングとを算出するまでの基地局制御装置３の動作を説明する。このフローチャートは、図３のシーケンスにおけるステップＳ２とステップＳ３との間に、基地局制御装置３で実行される処理の一部を示している。【０１００】
移動交換機ＩＦ１９は、移動交換機５７を通じて、通信装置５９からの終話要求（切断信号）を受信する。移動交換機ＩＦ１９は、架内スイッチ１７を通じて、終話要求を基地局ＩＦ１８に送る。基地局ＩＦ１８は、終話要求を基地局装置２を通じて、端末装置１に送信する。端末装置１は、終話要求を受信すると、終話要求に対する終話応答を送信する。【０１０１】
基地局ＩＦ１８は、端末装置１からの終話応答を基地局装置２を通じて受信する。基地局ＩＦ１８は、架内スイッチ１７を通じて、終話応答を端末装置対向Ｌ２終端部２０に入力する。端末装置対向Ｌ２終端部２０は、終話応答を無線リソース管理部２５および装置内リソース管理部２７を通じて、タイミング作成部２９に入力する。【０１０２】
タイミング作成部２９は、終話応答を受ける（Ｓ１２）。すると、タイミング作成部２９は、基準タイミング生成部２３が備えるＣＦＮカウンタ６０から現時点でのＣＦＮ（現ＣＦＮ）を取得する（Ｓ１３）。【０１０３】
次に、タイミング作成部２９は、オフセット記憶部３０から、端末装置１が送出する無線電波送信停止のタイミングに関するオフセットの値と、基地局装置２が送出する無線電波送信停止のタイミングに関するオフセットの値とを読み出す。【０１０４】
次に、タイミング作成部２９は、現時点でのＣＦＮと、オフセットの値とから、端末装置１が送出する無線電波停止のタイミング(Ａ1)を算出する。タイミング作成部２９は、現時点でのＣＦＮと、オフセットの値とから、基地局装置２が送出する無線電波停止のタイミング(Ｂ1)を算出する（Ｓ１４）。【０１０５】
ここで、端末装置１が送出する電波停止のタイミングと基地局装置２が送出する電波停止のタイミングの算出の例を述べる。例えば、端末装置１の電波送出停止のタイミングをＡ1とし、基地局装置２の電波送出停止のタイミングをＢ1とする。ここで、オフセット記憶部３０には、所定のＣＦＮに関する数、Ｄ1が格納されている。例えば、Ｄ1＝３とする。現時点でのＣＦＮがＥ1であったとすると、Ａ1＝Ｂ1＝Ｅ1＋Ｄ1となるようにＡ1とＢ1とをセットする。【０１０６】
このようにして、タイミングＡ1とタイミングＢ1とを同じＣＦＮにセットすることにより、端末装置１と基地局装置２とは、同時に、それぞれが送出する電波を停止させることができる。【０１０７】
タイミング作成部２９は、端末装置１へ送るべきタイミングＡ1を装置内リソース管理部２７を通じて無線リソース管理部２５に通知するとともに、タイミング作成部２９は、基地局装置２へ送るべきタイミングＢ1を装置内リソース管理部２７を通じて無線リソース管理部２５に通知する（Ｓ１５）。以上の処理が実行されると、タイミング作成部２９における処理は終了する。以上述べた処理を実行することによって、タイミング生成部２９は、端末装置１及び基地局装置２に対する無線電波停止のタイミングを算出できる。【０１０８】
＜無線リソース管理部における上り個別チャネル解放要求の作成例＞
図８は、基地局制御装置３の無線リソース管理部２５における処理例を示すフローチャートである。このフローチャートは、図３のシーケンスにおけるステップＳ２とステップＳ３との間において、基地局制御装置３で実行される処理の一部を示している。【０１０９】
最初に、無線リソース管理部２５は、装置内リソース管理部２７を通じて、タイミング作成部２９から端末装置１が送出する電波の停止のタイミングＡ1に関する通知を受信する（Ｓ１６）。【０１１０】
次に、無線リソース管理部２５は、電波停止タイミングＡ1を含む上り個別チャネル解放要求を作成する（Ｓ１７）。次に、無線リソース管理部２５は、端末装置対向信号Ｌ２終端部２０および架内スイッチ１７を通じて、作成した上り個別チャネル解放要求を基地局ＩＦ１８に送る（Ｓ１８）。基地局ＩＦ１８は、上り個別チャネル解放要求を基地局装置２を通じて端末装置１に送信する。【０１１１】
次に、無線リソース管理部２５は、所定時間内に上り個別チャネル解放要求に対する上り個別チャネル解放応答を受信するか否かを判定するためのタイマ(所定時間)のセットを、装置内リソース管理部２７に指示する。装置内リソース管理部２７は、タイマ２８に所定時間をセットする（Ｓ１９）。タイマ２８は所定時間の計時を開始する。【０１１２】
次に、無線リソース管理部２５は、タイマ２８により計時される時間を参照して、所定時間が過ぎたか否か、すなわちタイマがタイムアウトしたか否かをチェックする（Ｓ２０）。このとき、無線リソース管理部２５は、所定時間が過ぎていないと判定すると（Ｓ２０；ＮＯ）、ステップＳ２１の処理に進む。一方、無線リソース管理部２５は、所定の時間が過ぎたと判定すると(Ｓ２０；ＹＥＳ)、処理を終了する（Ｓ２２）。この場合、呼の強制的な解放処理が実行される。【０１１３】
ステップＳ２１の処理では、無線リソース管理部２５が、上り個別チャネル解放応答を受信したか否かを判定する。無線リソース管理部２５は、上り個別チャネル解放応答を、端末装置対向信号Ｌ２終端部２０から受信するようになっている。無線リソース管理部２５は、上り個別チャネル解放応答を受信したと判定すると（Ｓ２１；ＹＥＳ）、タイマ２８を停止して、処理を終了する。また、ステップＳ２１の処理にて、無線リソース管理部２５は、上り個別チャネル解放応答が受信されていないと判定すると（Ｓ２１；ＮＯ）、ステップＳ２０の処理に戻る。【０１１４】
以上の処理を実行することによって、無線リソース管理部２５は、端末装置１における電波送出停止のタイミングＡ1を含めた上り個別チャネル解放要求を作成し、端末装置対向信号Ｌ２終端部２０および架内スイッチ１７を通じて、基地局ＩＦ１８に送ることができる。基地局ＩＦ１８は、無線リソースの上り個別チャネル解放要求を基地局装置２を通じて端末装置１に送信する（図３のＳ３）。【０１１５】
＜無線リソース管理部における下り個別チャネル解放要求の作成例＞
図９は、基地局制御装置３の無線リソース管理部２５における処理例を示すフローチャートである。このフローチャートは、図３のステップＳ４とステップＳ６との間において、基地局制御装置３で実行される処理の一部を示している。【０１１６】
最初に、無線リソース管理部２５は、装置内リソース管理部２７を通じて、タイミング作成部２９から基地局装置２が送出する電波の停止のタイミング（Ｂ1）に関する通知を受ける（Ｓ２３）。【０１１７】
次に、基地局ＩＦ１８から架内スイッチ１７および端末装置対向信号Ｌ２終端部２０を通じて無線リソースの上り個別チャネル解放応答が受信されると、無線リソース管理部２５は、タイミング作成部２９から受けた電波停止タイミングＢ1を含む無線リソースの下り個別チャネル解放要求を作成する（Ｓ２４）。【０１１８】
続いて、無線リソース管理部２５は、基地局装置対向信号Ｌ２終端部２１および架内スイッチ１７を通じて、作成した無線リソースの下り個別チャネル解放要求を基地局ＩＦ１８に送る（Ｓ２５）。基地局ＩＦ１８は、受けた下り個別チャネル解放要求を有線伝送路を通じて基地局装置２に送信する。【０１１９】
無線リソース管理部２５は、所定時間内に無線リソースの上り個別チャネル解放応答を受信するか否かを判定するためのタイマ(所定時間)のセットを、装置内リソース管理部２７に指示する。装置内リソース管理部２７は、タイマ２８に所定時間をセットする（Ｓ２６）。タイマ２８は所定時間の計時を開始する。【０１２０】
無線リソース管理部２５は、タイマ２８で計時される時間を参照して、無線リソースの下り個別チャネル解放応答を受信するまでの間に所定時間が過ぎたか否か、すなわちタイムアウトしたか否かをチェックする（Ｓ２７）。もしも、無線リソース管理部２５は、所定時間が過ぎていないと判定すると(Ｓ２７；ＮＯ)、ステップＳ２８の処理に進む。これに対し、無線リソース管理部２５は、所定時間が過ぎたと判定する(Ｓ２７；ＹＥＳ)と、処理を終了する。この場合、呼の強制的な解放処理が実行される。【０１２１】
ステップＳ２８の処理では、無線リソース管理部２５が、無線リソースの下り個別チャネル解放応答を受信したか否かを判定する。無線リソース管理部２５は、無線リソースの下り個別チャネル解放応答を、基地局装置対向信号Ｌ２終端部２１から受信するようになっている。【０１２２】
無線リソース管理部２５は、無線リソースの下り個別チャネル解放応答を受信したと判定すると(Ｓ２８；ＹＥＳ)、処理を終了する。また、ステップＳ２８の処理にて、無線リソース管理部２５は、無線リソースの下り個別チャネル解放応答を受信していないと判定する(Ｓ２８；ＮＯ)と、ステップＳ２７の処理に戻る。【０１２３】
以上の処理を実行することによって、無線リソース管理部２５は、基地局装置２の電波送出停止のタイミングＢ1を含めた下り個別チャネル解放要求を作成し、基地局装置対向信号Ｌ２終端部２１および架内スイッチ１７を通じて、基地局ＩＦ１８に送る。基地局ＩＦ１８は、下り個別チャネル解放要求を基地局装置２に送信する（図３のＳ６）。【０１２４】
＜網側リソース管理部における処理の例＞
図１０は、基地局制御装置３の網側リソース管理部２６における処理例を示すフローチャートである。このフローチャートは、図３のステップＳ８とステップＳ９との間において、基地局制御装置３で実行される処理の一部を示している。また、図１０に示すフローチャートの説明は、図４に示した基地局制御装置３のシステム構成に基づいて行う。【０１２５】
最初に、網側リソース管理部２６は、基地局装置対向信号Ｌ２終端部２１を通じて無線リソースの下り個別チャネル解放応答を受信する（Ｓ３０）。【０１２６】
次に、網側リソース管理部２６は、基地局装置２に個別チャネル網側回線解放処理を実施させるための網側リソースの個別チャネル解放要求を作成する（Ｓ３１）。続いて、網側リソース管理部２６は、基地局装置対向信号Ｌ２終端部２１および架内スイッチ１７を通じて、作成した個別チャネル解放要求を基地局ＩＦ１８に送る（Ｓ３２）。基地局ＩＦ１８は、受けた個別チャネル解放要求を有線伝送路を通じて基地局装置２に送信する。【０１２７】
次に、網側リソース管理部２６は、所定時間内に個別チャネル解放要求に対する個別チャネル解放応答を受信するか否かを判定するためのタイマ（所定時間）を、装置内リソース管理部２７を通じて、タイマ２８を使用してセットする（Ｓ３３）。網側リソース管理部２６は、タイマ２８で計時される時間を参照して、無線リソースの下り個別チャネル解放応答を受信するまでの間に所定時間が過ぎたか否か、すなわちタイムアウトしたか否かをチェックする（Ｓ３４）。このとき、網側リソース管理部２６は、所定時間が過ぎていないと判定すると(Ｓ３４；ＮＯ)、ステップＳ３５の処理に進む。これに対し、網側リソース管理部２６は、所定時間が過ぎたと判定する(Ｓ３４；ＹＥＳ)と、処理を終了する。【０１２８】
ステップＳ３５の処理では、網側リソース管理部２６が、網側リソースの個別チャネル解放応答を受信したか否かを判定する（Ｓ３５）。網側リソース管理部２６は、網側リソースの個別チャネル解放応答を、基地局装置対向信号Ｌ２終端部２１から受信するようになっている。【０１２９】
網側リソース管理部２６は、網側リソースの個別チャネル解放応答を受信したと判定する（Ｓ３５；ＹＥＳ）と、網側リソース管理部２６における処理を終了する。また、ステップＳ３５の処理にて、網側リソース管理部２６は、網側リソースの個別チャネル解放応答が受信されていないと判定する（Ｓ３５；ＮＯ）と、ステップＳ３４の処理に戻る。【０１３０】
以上の処理を実行することによって、網側リソース管理部２６は、網側リソースの個別チャネル解放要求を作成し、基地局装置対向信号Ｌ２終端部２１および架内スイッチ１７を通じて、基地局ＩＦ１８に送る。基地局ＩＦ１８は、網側リソースの個別チャネル解放要求を基地局装置２に送信する（図３のＳ９）。【０１３１】
《基地局装置の動作例》
以下、本発明に係る基地局装置２の動作例を図１１に基づいて説明する。図１１は、基地局装置２における処理動作例を示すフローチャートである。このフローチャートは、図３のシーケンスにおけるステップＳ６とＳ８の間で、基地局装置２で実行される処理（Ｓ７）を示している。図１１に示すフローチャートの説明は、図５に示した基地局装置２のシステム構成に基づいて行う。【０１３２】
最初に、呼処理制御部３８が備える装置内リソース管理部４２は、回線ＩＦ３５から基地局制御装置対向信号Ｌ２終端部３７を通じて無線リソースの下り個別チャネル解放要求（個別チャネル解放要求）を受信することで処理を開始する（Ｓ３７）。装置内リソース管理部４２は、受信された下り個別チャネル解放要求をベースバンド信号処理部３４が備える無線リソース処理部３９に送る。【０１３３】
無線リソース処理部３９は、基準タイミング生成部３６が備えるＣＦＮカウンタ４１から現時点でのＣＦＮを取得する（Ｓ３８）。【０１３４】
次に、無線リソース処理部３９は、装置内リソース管理部４２からの解放要求によって、基地局装置２から送出する電波を停止するタイミングＡ1となるＣＦＮ番号を取得する。続いて、無線リソース処理部３９は、取得したＣＦＮ番号と、現時点でのＣＦＮから、電波送出停止までの時間Ｔd（２）を算出する。例えば、その解放要求に含まれる電波送出停止のタイミングとなるＣＦＮ番号をＮa、ステップＳ３８の処理で取得した現時点でのＣＦＮ番号をＮb（２）、ＣＦＮが１進む際にかかる時間をＴcとすると、基地局装置２から端末装置１に向けて送出する電波を停止させる指令を出すまでの時間Ｔd（２）はＴd（２）＝Ｔc×［Ｎb（２）−Ｎa］と求まる。【０１３５】
次に、無線リソース処理部３９は、算出された電波送出停止までの時間Ｔd（２）が100ms以上か否かを判定する（Ｓ３９）。ステップＳ３９の処理で、算出した時間Ｔd（２）が100msより短い（Ｔd（２）＜100ms）と判定される（Ｓ３９；ＮＯ）と、無線リソース処理部３９はステップＳ４０の処理に進む。ステップＳ３９の処理で、算出された時間Ｔd（２）が100ms以上であると判定される（Ｔd（２）＞＝100ms）（Ｓ３９；ＹＥＳ）と、無線リソース処理部３９はステップＳ４２の処理に進む。【０１３６】
ステップＳ３９の処理は、所定時間を設け、算出された時間がその所定時間よりも長い場合、電波送出停止と個別チャネル解放を早める処理である。この処理により、電波停止処理および個別チャネル解放までの時間の短縮と、当該の時間の短縮により電波送出にかかる電力の浪費を抑えることができる。【０１３７】
ステップＳ４０の処理にて、無線リソース処理部３９は、基準タイミング生成部３６が備えるＣＦＮカウンタ４１から現時点でのＣＦＮを取得する（Ｓ４０）。このＣＦＮをＮfとする。無線リソース処理部３９は、ステップＳ４０の処理で取得したＣＦＮを用いて、電波停止のタイミングであるか否かを判定する（Ｓ４１）。ステップＳ４１の処理にて、電波停止のタイミングではない（Ｎa＞Ｎf）と判定されると（Ｓ４１；ＮＯ）、無線リソース処理部３９はステップＳ４０の処理に戻る。ステップＳ４１の処理にて、電波停止のタイミングである（Ｎa＜＝Ｎf）と判定されると（Ｓ４１；ＹＥＳ）、無線リソース処理部３９はステップＳ４４の処理に進む。【０１３８】
ステップＳ４２の処理にて、無線リソース処理部３９は、装置内リソース管理部４２を通じて、タイマ４３を用いて、100msのタイマを起動する（Ｓ４２）。【０１３９】
無線リソース処理部３９は、タイマ４３で計時される時間を参照して、100msのタイマがタイムアウトしたか否かを判定する（Ｓ４３）。100msのタイマがタイムアウトしたと判定されない（Ｓ４３；ＮＯ）と、無線リソース処理部３９はステップＳ４３の処理に戻る。また、100msのタイマがタイムアウトしたと判定される（Ｓ４３；ＹＥＳ）と、無線リソース処理部３９はＳ４４の処理に進む。【０１４０】
ステップＳ４４の処理では、無線リソース処理部３９は無線部３３に対して無線リソースの下り個別チャネル電波停止処理（電波停止処理）を実施するよう指令する。【０１４１】
無線部３３は、無線リソースの下り個別チャネル電波停止処理の指令を受けると、端末装置１に対する下り個別チャネルを使用して送出する電波を停止させる。無線部３３は、端末装置１に対する送出電波の停止後、無線リソースの下り個別チャネルを解放させる。【０１４２】
次に、無線リソース処理部３９は、装置内リソース管理部４２および基地局制御装置対向信号Ｌ２終端部３７を通じて、回線ＩＦ３５に無線リソースの下り個別チャネル解放応答を送る（Ｓ４５）。回線ＩＦ３５は、下り個別チャネル解放応答を基地局制御装置３に送信する。【０１４３】
次に、回線ＩＦ３５は、基地局制御装置３から網側リソースの個別チャネル解放要求を受信すると、受信した解放要求を基地局制御装置対向信号Ｌ２終端部３７を通じて、装置内リソース管理部４２に送る。装置内リソース管理部４２は、回線ＩＦ３５から網側リソースの個別チャネル解放要求を受信すると、網側リソース処理部４０に網側リソースの個別チャネルの解放を要求する。網側リソース処理部４０は、網側リソースの個別チャネルの解放要求を受けると、回線ＩＦ３５を用いて個別チャネル網側回線解放処理を実施する（Ｓ４６；図３のＳ１０）。これによって、網側リソースは解放される。【０１４４】
ステップＳ４６の処理の終了後、網側リソース処理部４０は、解放応答を装置内リソース管理部４２に通知する。装置内リソース管理部４２は、網側リソース処理部４０から網側リソースに関する解放応答を受けると、解放応答を作成して基地局制御装置対向信号Ｌ２終端部３７を通じて回線ＩＦ３５に送り、処理を終了する。解放応答は、回線ＩＦ３５から基地局制御装置３に送信される（図３のＳ１１）。【０１４５】
以上述べたようにして、基地局装置２は、基地局制御装置３から電波送出停止のタイミングの指定を含む無線リソースの下り個別チャネル解放要求を受信することにより、基地局制御装置３から指定された特定のタイミングで基地局装置２から下り個別チャネルを使用して電波の送出を停止し、下り個別チャネルを解放する。次に、基地局装置２は、網側リソースの解放要求を受信すると、基地局装置２と基地局制御装置３との間の網側リソースの個別チャネルを解放する。【０１４６】
《端末装置の動作例》
図１２は、端末装置１における処理動作例を示すフローチャートである。このフローチャートは、図３のシーケンスにおけるステップＳ３〜５の間に、端末装置１で実行される処理を示している。図１２に示すフローチャートの説明は、図６に示した基地局装置２のシステム構成に基づいて行う。【０１４７】
最初に、装置制御部４９が備える呼接続制御部５５は、無線部４６、ベースバンド信号処理部４５および対基地局制御装置部５３を通じて、無線リソースの上り個別チャネル解放要求を受けとる（Ｓ４８）。すると、呼接続制御部５５は、無線リソースの上り個別チャネル解放応答を作成し、対基地局制御装置部５３およびベースバンド信号処理部４５を通じて、無線部４６に送る（Ｓ４９）。無線部４６は、受けた解放応答を基地局２を通じて基地局制御装置３に送信する。【０１４８】
次に、呼接続制御部５５は、ベースバンド信号処理部４５に上り個別チャネルの解放要求を通知する。ベースバンド信号処理部４５は、ＣＦＮカウンタ５４から現時点でのＣＦＮを取得する（Ｓ５０）。【０１４９】
また、ベースバンド信号処理部４５は、呼接続制御部５５からの解放要求から、端末装置１から基地局装置２に対する電波の送出を停止するタイミングとなるＣＦＮ番号を取得する。続いて、ベースバンド信号処理部４５は、取得したＣＦＮ番号と、現時点でのＣＦＮから、送出電波停止までの時間Ｔd（１）算出する。例えば、無線リソースの上り個別チャネル解放要求に含まれる送出電波停止のタイミングＢ1となるＣＦＮ番号をＮa、ステップＳ５０の処理で取得した現時点でのＣＦＮ番号をＮb（１）、ＣＦＮ番号が１進むのにかかる時間をＴcとすると、送出する電波を停止するまでの時間Ｔd（１）はＴd（１）＝Ｔc×［Ｎb（１）−Ｎa］と求まる。【０１５０】
続いて、ベースバンド信号処理部４５は、算出した電波停止までの時間Ｔd（１）が100ms以上か否かを判定する（Ｓ５１）。ステップＳ５１の処理で、算出した時間Ｔd（１）が100msより短い（Ｔd（１）＜100ms）と判定されると（Ｓ５１；ＮＯ）、ベースバンド信号処理部４５はステップＳ５２の処理に進む。ステップＳ５１の処理で、算出された時間Ｔd（１）が100ms以上（Ｔd（１）＞＝100ms）と判定されると（Ｓ５１；ＹＥＳ）、ベースバンド信号処理部４５はステップＳ５４の処理に進む。【０１５１】
ステップＳ５１の処理は、所定時間を設け、算出された時間がその所定時間よりも長い場合、電波送出停止と個別チャネル解放を早める処理である。この処理により、電波停止処理および個別チャネル解放までの時間の短縮と、当該の時間の短縮により電波送出にかかる電力の浪費を抑えることができる。ステップＳ５２の処理にて、ベースバンド信号処理部４５は、ＣＦＮカウンタ５４から現時点でのＣＦＮを取得する（Ｓ５２）。このＣＦＮをＮfとする。【０１５２】
ベースバンド信号処理部４５は、ステップＳ５２の処理で取得したＮfとＮaとを用いて、電波停止のタイミングＮaであるか否かを判定する（Ｓ５３）。ステップＳ５３の処理にて、電波停止のタイミングではない（Ｎa＞Ｎf）と判定されると（Ｓ５３；ＮＯ）と、ベースバンド信号処理部４５はステップＳ５２の処理に戻る。ステップＳ５３の処理にて、電波停止のタイミングである（Ｎa＜＝Ｎf）と判定されると（Ｓ５３；ＹＥＳ）、ベースバンド信号処理部４５はステップＳ５６の処理に進む。【０１５３】
ステップＳ５４の処理にて、ベースバンド信号処理部４５は、呼接続制御部５５を通じて、タイマ５６を使用して100msのタイマをセットし、起動する（Ｓ５４）。ベースバンド信号処理部４５は、タイマ５６で計時される時間を参照して、100msのタイマがタイムアウトしたか否かを判定する（Ｓ５５）。100msのタイマがタイムアウトしたと判定される（Ｓ５５；ＮＯ）と、ベースバンド信号処理部４５はＳ５５の処理に戻る。また、100msのタイマがタイムアウトしたと判定される（Ｓ５５；ＹＥＳ）と、ベースバンド信号処理部４５はＳ５６の処理に進む。【０１５４】
ステップＳ５６では、ベースバンド信号処理部４５は無線リソースの上り個別チャネル電波停止処理（電波停止処理）の実施する（Ｓ５６）。このとき、ベースバンド信号処理部４５は、無線部４６に電波送信停止を指示する。【０１５５】
無線部４６は、無線リソースの上り個別チャネル電波停止処理の実地の指令を受けると、基地局装置２に対する上り個別チャネル電波送出を停止し、上り個別チャネルを解放する。ステップＳ５６が終了すると、図１２の処理が終了する。【０１５６】
以上述べたようにして、端末装置１は、基地局制御装置３から送出電波停止のタイミングの指定を含む無線リソースの上り個別チャネル解放要求を受信することにより、基地局制御装置３から指定された特定のタイミングで端末装置１から上り個別チャネルを使用して送出する電波を停止し、上り個別チャネルを解放する。【０１５７】
《基地局装置が終話の際に個別チャネルに消費する電力》
図１３は、基地局装置２が終話の際に無線リソースの下り個別チャネルに消費する電力を示す図である。ここでは比較のために図１６を参照する。本発明を適用した通信システムでは、図３に示したように、上り個別チャネル電波停止処理の実施タイミングＡ1と下り個別チャネル電波停止処理の実施タイミングＢ1とが同じとなるように、基地局制御装置３は、端末装置１に対して送信する個別チャネル解放要求に含まれるタイミングＡ1と、基地局装置２に対して送信する個別チャネル解放要求に含まれるタイミングＢ1とをそれぞれ指定する。【０１５８】
したがって、基地局装置２及び端末装置１が同時に電波の送出を停止するので、図３のステップＳ４の処理にて端末装置１が個別チャネル解放応答を送信した時刻Ｃ1から、基地局装置２が送出する電波が停止処理を行う時刻Ａ1までの間、電波送信停止タイミングの待ち時間として、端末装置１が送出する電波の停止処理は行われない。したがって、基地局装置２において、端末装置１から送信されるＴＰＣビットの受信は途切れない。このことから、基地局装置２から下り個別チャネルに使用される送信電力は、電波送信の停止までＴＰＣビットによって制御されるために、図１３に示すように、誤作動により送信電力が上昇することがない。このようにして、本通信システムは、誤作動を抑えることができる。【０１５９】
また、基地局装置２が消費する電力は、無駄な電力上昇が抑えられることで、従来よりも抑えられる。したがって、本通信システムは、無駄な電力の浪費を抑えることができる。【０１６０】
基地局装置２が、下り方向への割当可能な総電力から割当済み電力を差し引いた残りの電力を参照する新規呼受付判断を実施するシステムを搭載している場合においては、図１３に示すように、割当済みの呼が無駄な電力を消費しないことから、従来のシステムよりも新規呼を多く受け付けられる可能性がある。【０１６１】
また、端末装置よりも基地局装置の方が早く送出電波を停止するシステムにおいても、本発明を適用することにより、端末装置から上り個別チャネルに使用される送信電力は、電波送信の停止までＴＰＣビットによって制御されるために、図１３に示すようになる。このようにして、本通信システムは、端末装置側においても誤動作を抑えることができる。【０１６２】
また、本通信システムで使用する個別チャネル解放要求は、従来のシステムでも使用される制御情報であるので、本発明は従来のシステムで使用されていた制御情報に改良を加えるのみで実施できる。そのため、従来のシステムにおける制御情報とほぼ変わらない情報量で、本発明を実施できる。【０１６３】
《変形例１》
以上、本発明の実施形態において、端末装置１と基地局装置２とは、基地局制御装置３が指定したＣＦＮに基づいて、それぞれの装置から個別チャネルを使用して送出する電波を停止させていた。一方で、以下で説明するように、本実施形態を変形することにより、端末装置１と基地局装置２とは、基地局制御装置３が指定する時刻や時間幅に基づいて、それぞれの装置から送出させる電波を停止させることができる。【０１６４】
＜基地局制御装置が指定する時刻に基づいて電波停止処理を実施する変形例＞
本変形例の場合、基地局制御装置３が備えるタイミング作成部２９は、終話応答を受信した時刻をタイマ２８を参照して記憶する。続いて、タイミング作成部２９は、オフセット記憶部３０から所定の時間幅のオフセット値を読み出す。次に、タイミング作成部２９は、オフセット記憶部３０から読み出したオフセット値と終話応答を受信した時刻とを加えた時刻を算出する。タイミング作成部２９は、この算出結果を無線リソース管理部２５に通知する。【０１６５】
基地局制御装置３の無線リソース管理部２５は、タイミング作成部２９から入力された時刻を、上り個別チャネル解放要求と下り個別チャネル解放要求とにそれぞれ含ませる。【０１６６】
続いて、端末装置１のベースバンド信号処理部４５は、呼接続制御部５５を通じて、送出電波停止のタイミングを含む無線リソースの上り個別チャネル解放要求を受信した際、タイマ５６による計時を参照して、受信した解放要求に含まれる時刻に端末装置１から上り個別チャネルを使用して送出する電波の停止を無線部４６に指示する。送出電波停止の指示がされた無線部４６は、上り個別チャネルを使用して送出する電波を停止させ、上りチャネルを解放する。【０１６７】
一方、基地局装置２の無線リソース処理部３９は、送出電波停止のタイミングを含む無線リソースの下り個別チャネル解放要求を受信した際、タイマ４３による計時を参照して、受信した解放要求に含まれる時刻に基地局装置２から送出する電波の停止を無線部３３に指示する。送出電波停止の指示がされた無線部３３は、下り個別チャネルを使用して送出する電波を停止させる。【０１６８】
以上述べたように、本変形例では、基地局制御装置３が作成した個別チャネル解放要求に含まれる時刻に基づいて、端末装置１と基地局装置２とが送出電波を停止することができる。【０１６９】
＜基地局制御装置が指定する時間幅に基づいて電波停止処理を実施する変形例＞
本変形例の場合、基地局制御装置３が備えるオフセット記憶部３０は、基地局装置２用の送出電波停止までの時間幅に関するオフセット値と、端末装置１用の送出電波停止までの時間幅に関するオフセット値とを記憶している。基地局装置２用の送出電波停止までの時間幅は、端末装置１が無線リソースの上り個別チャネル解放応答を送信し、基地局制御装置３がその解放応答を受信し、基地局制御装置３が無線リソースの下り個別チャネル解放要求を送信し、基地局装置２がその解放要求を受信する時間に関して、端末装置１用の送出電波停止までの時間幅よりも短くなっている。タイミング作成部２９は、オフセット記憶部３０から、これら二つのオフセット値を読み取り、端末装置１用の送出電波停止までの時間幅に関するオフセット値と、基地局装置２用の送出電波停止までの時間幅に関するオフセット値とを無線リソース管理部２５にぞれぞれ通知する。【０１７０】
無線リソースの上り個別チャネル解放処理部２２と、無線リソースの下り個別チャネル解放処理部２６とは、タイミング作成部２５から入力された時間幅を個別チャネル解放要求にそれぞれ含ませる。【０１７１】
続いて、端末装置１が備えるベースバンド信号処理部４５は、送出電波停止のタイミングを含む無線リソースの上り個別チャネル解放要求を受信した際、タイマ５６による計時を参照して、受信した解放要求に含まれる時間後に端末装置１から上り個別チャネルを使用して送出する電波の停止を無線部４６に指示する。送出電波停止の指示がされた無線部４６は、上り個別チャネルを使用して送出する電波を停止させ、上り個別チャネルを解放する。【０１７２】
一方、基地局装置２が備える無線リソース処理部３４は、送出電波停止のタイミングを含む無線リソースの下り個別チャネル解放要求を装置内リソース管理部４２を通じて受信した際、タイマ４３による計時を参照して、受信した解放要求に含まれる時間後に基地局装置２から送出する電波の停止を無線部３３に指示する。送出電波停止の指示がされた無線部３３は、下り個別チャネルを使用して送出する電波を停止させ、下り個別チャネルを解放する。【０１７３】
以上述べたように、本変形例では、基地局制御装置３が作成した個別チャネル解放要求に含まれる時間幅に基づいて、端末装置１と基地局装置２とが送出電波を停止することができる。
《変形例２》
図１４は、本発明の変形例に係る終話のシーケンスを示す図である。図１４は、図１に示したような通信システムにおいて、通信装置５９から送信された通信の切断信号が公衆網５８を通じて移動交換機５７で受信され、移動交換機５７で受信された切断信号が終話要求として基地局制御装置３に送信され、その終話要求を基地局制御装置３が受信した場合の終話のシーケンスである。【０１７４】
まず、基地局制御装置３は、基地局装置２を通じて、通信装置５９からの終話要求を端末装置１に送信する（Ｓ５７）。端末装置１は、基地局装置２を通じて、基地局制御装置３からの終話要求を受信すると、基地局制御装置３に終話応答を送信する（Ｓ５８）。【０１７５】
基地局制御装置３は、基地局装置２を通じて、端末装置１から終話応答を受信すると、端末装置１に無線リソースの上り個別チャネル解放要求（個別チャネル解放要求）を送信する（Ｓ５９）。【０１７６】
端末装置１は、電波送出停止のタイミングとして、所定のＣＦＮのオフセット値を備えている。端末装置１は、上り個別チャネル解放要求を受信すると、このオフセット値を含む上り個別チャネル解放応答を作成する。端末装置１は、作成した上り個別チャネル解放応答を基地局制御装置３に向けて送信する（Ｓ６０）。【０１７７】
また、端末装置１は、上り個別チャネル解放要求を受信すると、端末装置１が備えるタイミングで、無線リソースの上り個別チャネル電波停止処理を実行する。すなわち、端末装置１は、タイミングＡ2で、上り個別チャネルへの電波送信を停止する（Ｓ６１）。端末装置１は、電波の停止後、上り個別チャネルを解放する。【０１７８】
一方、基地局制御装置３は、基地局装置２を通じて、端末装置１からの個別チャネル解放応答を受信すると、無線リソースの下り個別チャネル解放要求を基地局装置２に送信する（Ｓ６２）。この個別チャネル解放要求には、上り個別チャネル解放応答に含まれていた電波送出停止のタイミング情報が含まれている。【０１７９】
基地局装置２は、個別チャネル解放要求を受信すると、その解放要求に含まれる電波の停止タイミングの情報に基づいて、無線リソースの下り個別チャネル電波停止処理を実行する。すなわち、基地局装置２は、解放応答に含まれたタイミングの情報に従ったタイミングＢ2（タイミングＡ2と同じタイミング）で下り個別チャネルへの電波送信を停止する（Ｓ６３）。基地局装置２は、下り個別チャネルを通じて送出する電波の停止後、下り個別チャネルを解放する。このようにして、端末装置１と基地局装置２とは、同一のタイミングで電波送信を停止する。基地局装置２は、下り個別チャネルの解放後、基地局制御装置３に下り個別チャネル解放応答を送信する（Ｓ６４）。【０１８０】
基地局制御装置３は、基地局装置２から下り個別チャネル解放応答を受信すると、基地局装置２に網側リソースの個別チャネル解放要求を送信する（Ｓ６５）。【０１８１】
基地局装置２は、基地局制御装置３からの個別チャネル解放要求を受信すると、個別チャネル網側回線解放処理を実施する（Ｓ６６）。基地局装置２は、個別チャネル網側回線解放処理を実施することにより、網側リソースに対する個別チャネルを解放する。【０１８２】
基地局装置２は、網側リソースに対する個別チャネルの解放後、網側リソースの個別チャネル解放応答を送信する（Ｓ６７）。基地局制御装置３は、基地局装置２から、網側リソースの個別チャネル解放応答を受信する。【０１８３】
以上述べたように、本通信システムでは、端末装置１が上り個別チャネル解放要求にしたがうタイミング（図１４では時刻Ａ2）で電波送出を停止し、基地局装置２が下り個別チャネル解放要求にしたがうタイミング（図１４では時刻Ｂ2）で電波送出を停止する。このため、端末装置１は、上り個別チャネル解放要求と下り個別チャネル解放要求とに送出する電波停止のタイミングが同時になるような（すなわち、Ａ2＝Ｂ2となるような）タイミングの情報を含ませる。【０１８４】
なお、端末装置１が終話要求を生成して送信する場合では、端末装置１が終話要求を送信し、終話応答を受信することが図１４に示した終話シーケンスと逆になる（すなわち、ステップＳ１とステップＳ２の矢印が逆になる）のみで、他の処理は上記の処理と同様に実行される。【０１８５】
したがって、この変形例で示したように、端末装置１が電波送出停止のためのタイミングのオフセット値を備え、そのオフセット値が基地局装置２に伝達されることにより、端末装置１と基地局装置２とは同時に電波送出を停止するように電波送出停止を実行できる。
【図１】
0004616887.tif 000002
【図２】
0004616887.tif 000003
【図３】
0004616887.tif 000004
【図４】
0004616887.tif 000005
【図５】
0004616887.tif 000006
【図６】
0004616887.tif 000007
【図７】
0004616887.tif 000008
【図８】
0004616887.tif 000009
【図９】
0004616887.tif 000010
【図１０】
0004616887.tif 000011
【図１１】
0004616887.tif 000012
【図１２】
0004616887.tif 000013
【図１３】
0004616887.tif 000014
【図１４】
0004616887.tif 000015
【図１５】
0004616887.tif 000016
【図１６】
0004616887.tif 000017